(57)【要約】【解決手段】  空間周波数ブロック符号化及び周波数領域等化（ＳＦ−ＳＣＦＤＥ）を利用するシングルキャリア伝送方式が、周波数選択性で高速フェージングチャネルのために提案される。低速フェージングする環境において、この技術を採用すると、空間時間符号化方式により得られる技術と同様の性能が得られる。しかしながら、提案された方式は、より困難な速いチャンネルにおいて、いっそう優れた性能を得る。【選択図】      図１
2010524270.tif 000002
【特許請求の範囲】
【請求項１】
周波数選択性で高速フェージングチャネル上でシングルキャリア空間周波数（ＳＦ−ＳＣＦＤＥ）通信を行う方法であって、
通信ブロックストリームを受信することと、
前記受信した通信ブロックストリームを符号化して通信ブロックを生成することと、
周期的接頭語をそれぞれの通信ブロックに加えて伝送ブロックを生成することと、
周波数選択性フェージングするチャネルを介して、それぞれの通信ブロックを通信することと、
を含むことを特徴とする方法。
【請求項２】
通信ブロックストリームを受信することは、データシンボルを複数の通信ブロックストリームに逆多重化することをさらに含むことを特徴とする請求項１に記載の方法。
【請求項３】
前記受信した通信ブロックストリームを符号化して通信ブロックを生成することは、
前記通信ブロックを圧縮したベクトルに圧縮することと、
前記圧縮したベクトルを二回繰り返してベクトルブロックを形成することと、
位相変換行列を用いて、前記ベクトルブロックの位相を変換することと、
をさらに含むことを特徴とする請求項１に記載の方法。
【請求項４】
前記位相変換行列は、Φ4Nであって、
2010524270.tif 000057
によって定義されることを特徴とする請求項３に記載の方法。
【請求項５】
前記周波数選択性フェージングするチャネルは、送信アンテナと受信アンテナとの間にあるチャネルインパルス応答が、ｈk(l)がｌ番目の応答である
2010524270.tif 000058
として表現される命令Ｌからなることを特徴とする請求項１に記載の方法。
【請求項６】
周波数選択性フェージングするチャネルを介して、それぞれの通信ブロックを通信することは、
2010524270.tif 000059
である場合の、形状
2010524270.tif 000060
の４Ｎ要素ベクトルの４Ｎポイントの離散フーリエ変換(ＤＦＴ)が、
2010524270.tif 000061
である場合の
2010524270.tif 000062
であって、ベクトル
2010524270.tif 000063
が、
2010524270.tif 000064
のＮポイントＤＦＴであるＮポイントＤＦＴを用いて、ｋ番目の通信アンテナによって、通信ブロックを通信することを特徴とする請求項１に記載の方法。
【請求項７】
受信アンテナにおいて、周期的接頭語を除去し、４Ｎポイントの離散フーリエ変換(ＤＦＴ)を行うことをさらに含むことを特徴とする請求項１に記載のシステム。
【請求項８】
周波数選択性で高速フェージングチャネル上でシングルキャリア空間周波数（ＳＦ−ＳＣＦＤＥ）通信の装置であって、
通信ブロックストリームを受信して符号化する空間周波数符号化器と、
周期的接頭語をそれぞれの通信ブロックに付加する周期的接頭語付加器と、
それぞれの通信ブロックを通信するアンテナと、
を備えることを特徴とする装置。
【請求項９】
前記空間周波数符号化器は、
前記符号化した通信ブロックストリームを圧縮する圧縮器と、
前記通信ブロックストリームを繰り返してベクトルブロックを形成する電気回路と、
位相変換を実行する位相変換器と、
をさらに含むことを特徴とする請求項８に記載の装置。
【請求項１０】
前記位相変換は、
2010524270.tif 000065
によって定義される位相変換行列Φ4Nを用いて、実行されることを特徴とする請求項９に記載の装置。
【請求項１１】
データシンボルを複数の通信ブロックストリームに逆多重化する逆多重化器をさらに備えることを特徴とする請求項８に記載の装置。
【請求項１２】
前記アンテナは、高速フェージングチャネルを用いて、それぞれの通信ブロックを通信することを特徴とする請求項８に記載の装置。
【請求項１３】
周波数選択性で高速フェージングチャネル上でシングルキャリア空間周波数（ＳＦ−ＳＣＦＤＥ）通信のシステムであって、
通信ブロックストリームを受信して符号化する空間周波数符号化器と、周期的接頭語をそれぞれの通信ブロックに付加する周期的接頭語付加器と、それぞれの通信ブロックを通信するアンテナと、を持つ送信機と、
送信機からの通信ブロックを受信するアンテナと、周期的接頭語を除去する構造と、復号器と、を持つ受信機と、
を備えることを特徴とするシステム。
【請求項１４】
前記空間周波数符号化器は、
前記符号化した通信ブロックを圧縮する圧縮器と、
前記通信ブロックストリームを繰り返し、ベクトルブロックを形成する回路と、
位相変換を実行する位相変換器と、
をさらに備えることを特徴とする請求項１３に記載のシステム。
【請求項１５】
前記位相変換は、
2010524270.tif 000066
によって定義される位相変換行列Φ4Nを用いて実行されることを特徴とする請求項１４に記載のシステム。
【請求項１６】
前記送信機は、データシンボルを複数の通信ブロックストリームに逆多重化する逆多重化器をさらに備えることを特徴とする請求項１３に記載のシステム。
【請求項１７】
アンテナは、周波数選択性フェージングチャネルを介して前記通信ブロックを通信することを特徴とする請求項１３に記載のシステム。
【請求項１８】
前記周波数選択性フェージングするチャネルは、送信機と受信機との間にあるチャネルインパルス応答が、ｈk(l)がｌ番目の応答である
2010524270.tif 000067
として表現される命令Ｌからなることを特徴とする請求項１７に記載のシステム。
【請求項１９】
周波数選択性フェージングするチャネルを通信は、
2010524270.tif 000068
である場合の、形状
2010524270.tif 000069
の４Ｎ要素ベクトルの４Ｎポイントの離散フーリエ変換(ＤＦＴ)が、
2010524270.tif 000070
である場合の
2010524270.tif 000071
であって、ベクトル
2010524270.tif 000072
が、
2010524270.tif 000073
のＮポイントＤＦＴであるＮポイントＤＦＴを用いて、ｋ番目の通信アンテナ利用することを特徴とする請求項１７に記載のシステム。
【請求項２０】
前記受信機は、前記周期的接頭語を除去した後に、前記通信ブロック４Ｎポイントの離散フーリエ変換（ＤＦＴ）を行うことを特徴とする請求項１６に記載のシステム。
【発明の詳細な説明】
【技術分野】
【０００１】
本発明は、「周波数選択性で高速フェージングチャネル上でシングルキャリア空間周波数のブロック符号化した伝送を行うためのシステム及び方法」という名称の２００６年１２月１１日に出願された米国仮特許出願第60/874,144号に関連するもので、当該出願は、その全体を本明細書に組み入れ、優先権主張の基礎とする。
【背景技術】
【０００２】
本出願の実施形態は、通信システムにおけるシングルキャリア伝送方式の分野に関するものである。典型的な実施形態は、シングルキャリア空間周波数のブロック符号化した伝送を行うための方法及びシステムに関するものである。
【発明の概要】
【発明が解決しようとする課題】
【０００３】
無線アプリケーションに対する需要が、急速に増大したことにより、無線チャネル上で行われる信頼性のある高い伝送レートの通信をサポートするシステムの開発に多大の研究努力が注がれるようになった。しかしながら、これらの開発は、マルチパスフェージング、無線チャネルの時間変化依存性、帯域幅の制約、そして、手持ちデバイスの電力制限のような問題に対処しなければならない。空間時間伝送技術は、マルチパスフェージングという有害な影響に対向できることがわかった。不運なことに、周波数選択性フェージングするチャネルにおいて遅延の拡がりが大きくなると、受信信号の直交性が破壊されることになり、これは空間時間符号化にとって重大な問題である。したがって、この技術は、周波数均一のブロックフェージングするチャネルのみに対して効果的である。直交周波数分割多重化方式（ＯＦＤＭ）は又、マルチパスフェージングに有効であることがわかっている。空間時間ＯＦＤＭ（ＳＴ−ＯＦＤＭ）及び空間周波数ＯＦＤＭ（ＳＦ−ＯＦＤＭ）が、チャネルの周波数選択性に対して有効である効果的な方法として提案されてきた。さらに、通常の場合において、ＳＴ−ＯＦＤＭの方式に要求されるように、少なくとも二つのブロックの伝送に対して、チャネルが一定であることを必要としないで、高速フェージングチャネルにＳＦ−ＯＦＤＭを適用することができる。ＯＦＤＭは、マルチキャリア通信技術であって、一つのストリームを、多くのより遅いレートのサブキャリア上に伝送する。マルチキャリアの信号は、多くの独立の変調したサブキャリアによって構成されており、サブキャリアが、位相をそろえて重ねられる場合には、そのサブキャリアは、高いピーク対平均ＰＡＰＲを生じることになる。ＯＦＤＭは又、位相ノイズ及び周波数オフセット問題に弱点がある。したがって、チャネルの周波数選択性に対処するため、ＯＦＤＭの代替としての問題解決方法として、周波数領域等化によるシングルキャリア伝送を利用することが提案されている。ＳＴ−ＯＦＤＭの方式に平行して、少なくとも二つのブロック期間中に、チャネルが同一でなければならないことが要求される、空間時間シングルキャリア（ＳＴ−ＳＦ）伝送方式が、提案さている。
【０００４】
多くの高レート無線通信の方法及びシステムが提案されているが、これらのいずれも、チャネルが二つのブロック期間中に同一である必要がなく、したがって、高速フェージングにおいて有効である空間周波数シングルキャリア（ＳＦ−ＳＣ）技術を、提供するものではない。従来の方法及びシステムは、次のセクションで示すような追加的な周波数の多様性を伴う空間周波数ブロック符号化を実現するシングルキャリアの伝送技術を用いるものではない。
【課題を解決するための手段】
【０００５】
典型的な実施形態の特徴は、空間周波数ブロック符号化及び周波数領域等化（ＳＦ−ＳＣＦＤＥ）を利用するシングルキャリア伝送の方式に向けられている。そのような技術は、周波数選択性で高速フェージングチャネルを用いて利用することができる。
【０００６】
一つの典型的な実施形態においては、周波数選択性で高速フェージングチャネル上でシングルキャリア空間周波数（ＳＦ−ＳＣＦＤＥ）伝送を行う方法は、通信ブロックストリームを受信することと、受信した通信ブロックストリームをコード化して通信ブロックを生成することと、周期的接頭語をそれぞれの通信ブロックに加えて伝送ブロックを形成することと、それぞれの伝送ブロックを周波数選択性フェージングするチャネルを介して通信することと、を含む。
【０００７】
別の典型的な実施形態においては、周波数選択性で高速フェージングチャネル上でシングルキャリア空間周波数（ＳＦ−ＳＣＦＤＥ）伝送を行う装置は、通信ブロックストリームを受信して、これを符号化する空間周波数符号化器と、周期的接頭語をそれぞれの通信ブロックに追加する周期的接頭語追加器と、それぞれの通信ブロックを通信するアンテナと、を含む。
【０００８】
さらに別の典型的な実施形態においては、周波数選択性で高速フェージングチャネル上でシングルキャリア空間周波数（ＳＦ−ＳＣＦＤＥ）伝送を行うシステムは、送信機と受信機とを含む。送信機は、通信ブロックストリームを受信して、これを符号化する空間周波数符号器と、周期的接頭語をそれぞれの通信ブロックに追加する周期的接頭語追加器と、それぞれの通信ブロックを通信するアンテナと、を含む。受信機は、通信ブロックを送信機から受信するアンテナと、周期的接頭語を除去する構造と、複号機とを含む。
【０００９】
本発明のこれら及び別の特性、側面及び利点は、以下の記載、添付の特許請求の範囲、以下に簡単に説明した図を用いて示す添付の典型的な実施形態から明らかになるであろう。
【図面の簡単な説明】
【００１０】
【図１】典型的な実施形態に適合する送信機の一般的な図である。
【００１１】
【図２】図１の送信機のシングルキャリア周波数（ＳＦ−ＳＣＦＤＥ）の伝送方式において実行される動作を示す流れ図である。
【００１２】
【図３】図１の送信機のシングルキャリア周波数（ＳＦ−ＳＣＦＤＥ）の伝送方式を別の伝送方式と比較したグラフである。
【発明を実施するための形態】
【００１３】
典型的な実施形態が、添付の図を参照して、以下に記載される。以下の記載は、発明の典型的な実施形態を記載することを意図しており、発明を限定するものではないことを理解すべきである。
【００１４】
図１は、Ｎt＝２の送信アンテナとＮt＝１の受信アンテナを持つ送信機１０を示す。アルファベットＡに属するデータシンボルｄ（ｎ）持つ情報が、逆多重化器１２を用いて、逆多重化され、いずれかの送信アンテナそれぞれにおいて通信するためのＮシンボルの二つのブロックストリームになる。通信ブロックは、
2010524270.tif 000003
と表現され、ｋ番目の送信アンテナによって送信される。ｋ＝１、２であって、
2010524270.tif 000004
であり、そのＮ点の離散フーリエ変換（ＤＴＦ）は、
2010524270.tif 000005
とする。二つのシンボルブロックｓ1及びｓ2は、次いで空間周波数符号器１４によって、ＳＣＦＤＥに適切な形で与えられ、次の二つのブロックを生成する。
【数１】
2010524270.tif 000006
ここにおいて、
2010524270.tif 000007
である。次いで、これらの二つのブロックｕ1及びｕ2を、シンボル期間ＴsからＴs/２まで圧縮し、圧縮したベクトルを二回繰り返し、以下のブロックを形成する。
【数２】
2010524270.tif 000008
【００１５】
ベクトルｖkは、奇数（偶数）要素をゼロとするｖk、e（ｖk、o）によって表示される。つまり、
2010524270.tif 000009
及び、
2010524270.tif 000010
であり、この場合において、
【数３】
2010524270.tif 000011
である。ゼロの挿入及び繰り返し操作が、図１のブロック１８において実行される。通信する前に、ベクトルＶk,oに、乗算器２０を用いて位相変換行列Φ4Nを乗算する。
【数４】
2010524270.tif 000012
は、フーリエ変換において、先進変換した一要素を生成する。二つのアンテナから送信した信号ベクトルは、
【数５】
2010524270.tif 000013
によって与えられる。ここで、Ｐ0は、全送信パワーである。図１に示すように、加算器２２は、数５の（Ｖk、e＋Φ4Nｖk,o）の演算を行うために用いられる。ブロック２４において、命令Ｌの周波数選択性フェージングするチャネルを介して通信をする前に、周期的接頭語（ＣＰ）がそれぞれのブロックに加えられる。
2010524270.tif 000014
におけるｈk（ｌ）は、ｋ番目の通信アンテナ及び受信アンテナ間のチャネルインパルス応答（ＣＩＲ）のｌ番目の応答である。受信した信号ベクトルｙは、
【数６】
2010524270.tif 000015
であり、ｘk(CP)は、ＣＰを加えたｘkであり、ｗは、分散ＮoのＡＷＧＮを想定して加えられるノイズベクトルであり、
2010524270.tif 000016
は、線形畳み込みを示す。ＣＰは、線形畳み込みを円形にするので、ＣＰを除去した後に４Ｎ点のＤＦＴを行った、受信した信号ベクトルは、
【数７】
2010524270.tif 000017
で与えられ、ここで、Λk、ｋ＝１,２は、その要素が、対応するＣＩＲｈkの４ＮポイントのＤＦＴである対角行列を表現する。Ｘk及びＷは、それぞれｘk及びｗの４ＮポイントのＤＦＴを表現する。
【００１６】
式５から、次の式が導かれる。
【数８】
2010524270.tif 000018
ここで、Ｖk,e、Ｖk,o及び、
2010524270.tif 000019
は、それぞれｖk,e、ｖk,o及び（Φ4Nｖv,o）の４ＮポイントＤＦＴを表現する。ここで、
【数９】
2010524270.tif 000020
であり、
【数１０】
2010524270.tif 000021
である。
【００１７】
[ｐTe，ｐTe]T形式の４Ｎ要素のベクトルの４ＮポイントのＤＦＴは、ｐe＝［ｐ(０)，０，Ｋ，ｐ(Ｎ−１)，０］Tは、[ＰTe，ＰTe]Tであり、ここで、Ｐe＝［ｐ(０)，０，Ｋ，ｐ(Ｎ−１)，０］Tとなり、ベクトル［Ｐ(０)，Ｐ(１)，Ｋ，Ｐ(Ｎ−１)］Tは、［ｐ(０)，ｐ(１)，Ｋ，ｐ(Ｎ−１)］TのＮポイントＤＦＴであることが提案される。数９を証明するために、前述の事柄から、Ｖk,eは、
2010524270.tif 000022
の４ＮポイントＤＦＴであり、ここで、ｓk,eは、数３において定義され、したがって、
2010524270.tif 000023
が導かれることがわかる。次に、ベクトル
2010524270.tif 000024
が、数３における左辺ｓk,oに一要素円形シフトして定義され、
2010524270.tif 000025
及び、
2010524270.tif 000026
となり、すなわち、
2010524270.tif 000027
となる。
【００１８】
ＤＦＴのシフト特性を用いて、ｖ2,0の４ＮポイントのＤＦＴは、
【数１１】
2010524270.tif 000028
によって与えられ、ここで
2010524270.tif 000029
は、
2010524270.tif 000030
の４ＮポイントＤＦＴである。上述の記載を用いて、
2010524270.tif 000031
上の
2010524270.tif 000032
として、
2010524270.tif 000033
のＮポイントのＤＦＴを採用し、
2010524270.tif 000034
である
2010524270.tif 000035
が導かれる。
2010524270.tif 000036
と共にＤＦＴのシフト特性の反転を用いて、
2010524270.tif 000037
を、つまり、
2010524270.tif 000038
は、
2010524270.tif 000039
の右辺に対する回転シフトの一要素であることを導く。数１１を用いると、Φ4Nが数１０で定義される場合には、
2010524270.tif 000040
が導かれる。同じ手続きをすることによって、
2010524270.tif 000041
を示すことができる。
【００１９】
ここで、ベクトルＡに対し、Ａe及びＡoが、それぞれＡの偶部分及び奇部分として定義される。数９から、
【数１２】
2010524270.tif 000042
が導かれる。ここで、
2010524270.tif 000043
は、２Ｎ×２Ｎの対角行列であり、その対角成分は、式１０のΦ4Nの奇対角成分であり、０Nは、長さＮのゼロベクトルである。次いで、
【数１３】
2010524270.tif 000044
を導く。数１３から、
【数１４】
2010524270.tif 000045
を理解することができる。次いで、数７は、
【数１５】
2010524270.tif 000046
と書き変えられる。ここで、Λek及びΛokは、対角行列であり、その対角成分は、それぞれΛkの奇対角成分及び偶対角成分である。直前のサブキャリアに対するチャネルのゲインは、ほぼ等しく、つまり
2010524270.tif 000047
であることを仮定すると、数１５を組み合わせることによって、
【数１６】
2010524270.tif 000048
が得られる。Ｙe及びＹoの一番目及び二番目のＮ語は、それぞれｋ＝１,２に対して、
【数１７】
2010524270.tif 000049
によって定義される。
数１３及び数１７を数１６に当てはめると、
【数１８】
2010524270.tif 000050
となり、この場合において、
【数１９】
2010524270.tif 000051
である。また、Λek,1及びΛok,2は、Ｎ×Ｎの対角行列であり、対角成分は、それぞれΛekの第一対角成分及び最終の第Ｎ対角成分である。Λe2,1、Λe2,2、Φek、Φek、が同様に定義される。ここで、対角行列Ｄに対して｜Ｄ｜2＝ＤＤ*である場合には、
2010524270.tif 000052
であることに留意すべきである。提案された空間周波数複号器は、次の
【数２０】
2010524270.tif 000053
による推定
2010524270.tif 000054
を与える。
【００２０】
行列ΛHΛは、対角であることを示すことができ、
【数２１】
2010524270.tif 000055
である。ここで、
2010524270.tif 000056
であり、したがって、
Ｓ1及びＳ2は、完全に分断されている。数２０の推定は、変換されて、検出に関する時間領域に戻される。
【００２１】
図２は、図１に関連して記載された送信機１０によって利用される典型的なシングルキャリア空間周波数（ＳＦ−ＳＣＦＤＥ）送信技術において、実行される動作を示す。さらに、実施形態によっては、より少ないか若しくは異なる動作を実行することができる。動作３０において、アルファベットＡを持つデータシンボルｄ(ｎ)は、逆多重化されて、Ｎシンボルの二つのブロックストリームになる。動作３２において、ブロックストリームは、符号化されて、通信ブロックとなる。
【００２２】
動作３４において、通信ブロックは、圧縮されてベクトルになり、動作３６において、圧縮されたベクトルが二回繰り返されて、ベクトルブロックを形成する。ベクトルブロックを形成した時点で、位相変換行列を用いて、位相が変換される（動作３８）。この位相変換は、フーリエ変換において、一要素の先進シフトとなる。動作４０において、周期的接頭語（ＣＰ）が、位相変換したベクトルブロック各々に加えられる。ＣＰ接頭語が加えられた時点で、ブロックが、命令Ｌの周波数選択性フェージングするチャネルを介して通信される。通信したブロックを受信すると、ＣＰ接頭語が除去されて、４ＮポイントＤＦＴが決定される。
【００２３】
ここに記載した周波数選択性で高速フェージングチャネル上での典型的なシングルキャリア空間周波数（ＳＦ−ＳＣＦＤＥ）通信の方式は、特にチャネルが高速フェージングする応用例に対して、効率的で効果的な通信技術であることが示された。典型的な空間周波数シングルキャリアシステムのビットエラーレート（ＢＥＲ）の性能が、シミュレーション計算された。周波数選択性チャネルにおける、ブロックあたりＮ＝６４データシンボルのシングルキャリア通信を扱ったシミュレーションでは、ＣＯＳＴ２０７のシックスレイ（Ｌ＝６）の典型的なアーバンチャネルを仮定する。K.F.Lee及びD.B.williamsによって、２００３年３月に、IEEEセンサアレイ及びマルチチャネル信号処理のワークショップ、pp.149-152において記載された“周波数選択性フェージングに対する空間時間符号化伝送多様性技術”、及び、２０００年１１月に、IEEE GLOBECOM、pp.1473-1477において記載された“ＯＦＤＭシステムに対する空間周波数多様性技術”のＳＴ−ＯＦＤＭ（以下において“Lee及びWilliams”と呼ぶ）よりもＢＥＲの性能がよいことが、示されている。また、同じチャネルにおいて、従来のＯＦＤＭシステムより、性能が優れている。ここに記載されるＳＦ−ＳＣＦＤＥの性能は又、W.M.Younis、N.AL-Dhahir及びA.H.Sayedによって、２００２年５月に、IEEE INT.Conf.Accoust.speech、信号処理Ｖｏｌ．３（フロリダ州オーランド）に記載された“適応した周波数領域等化の空間時間ブロック符号化された通信”と、低速フェージングチャネル（規格化したドップラー周波数が０．００１の場合）及び高速フェージングチャネル（規格化したドップラー周波数が０．０５の場合）において、比較されている。シミュレーションでは、ここに記載されているＳＦ−ＳＣＦＤＥの方式は、一層優れたＢＥＲを示す結果となった。性能が勝る理由の一つは、周波数領域が広がって、さらに周波数領域が多様になることである。その上、典型的な実施形態における技術は、ＰＡＰＲ（ピーク対平均電力レシオ）問題による影響を受けない。
【００２４】
図３は、ここに記載された典型的なＳＦ−ＳＣＦＤＥとLee及びWilliamsのＳＴ−ＳＣＦＤＥ（左）、及び、ＳＦ−ＳＣＦＤＥとYounisのＳＦ−ＯＦＤＭ（右）の性能を、低速（fdTS=0.001）及び高速（fdTs=0.05）フェージングＣＯＳＴ２０７のシックスレイの典型的なアーバン（ＴＵ）チャネルにおいて、比較したグラフである。
【００２５】
典型的な実施形態に関する上述の記載は、説明及び記載の目的で示されている。網羅的な記載を意図しておらず、開示した正確な形態に本発明を制限する意図はない。上述の教示を参考にすることによって、修正及び変更を行うことは、可能であり、本発明を実行することによって、修正及び変更を行うことができる。実施形態が選択されて、記載されるのは、本発明の原理及び実践的な応用例を説明し、本技術分野における当業者が、本発明を様々な実施形態において、特定の意図した用途に適するように様々な修正行いながら実施できるようにするためである。
【図１】
2010524270.tif 000074
【図２】
2010524270.tif 000075
【図３】
2010524270.tif 000076
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
周波数選択性で高速フェージングチャネル上でシングルキャリア空間周波数（ＳＦ−ＳＣＦＤＥ）通信を行う方法であって、
通信ブロックストリームを受信することと、
前記受信した通信ブロックストリームを符号化して通信ブロックを生成することと、
前記通信ブロックを圧縮し、圧縮したベクトルを形成することと、
前記圧縮したベクトルを繰り返してベクトルブロックを形成することと、
位相変換行列を用いて、前記ベクトルブロックの位相を変換し、位相変換ベクトルブロックを形成することと、
周期的接頭語をそれぞれの位相変換ベクトルブロックに加えて通信ブロックを生成することと、
周波数選択性フェージングするチャネルを介して、それぞれの通信ブロックを通信することと、
を含むことを特徴とする方法。
【請求項２】
前記通信ブロックストリームを受信することは、データシンボルを複数の通信ブロックストリームに逆多重化することをさらに含むことを特徴とする請求項１に記載の方法。
【請求項３】
前記位相変換行列は、Φ4Nであって、
2010524270.tif 000077
によって定義されることを特徴とする請求項１に記載の方法。
【請求項４】
前記周波数選択性フェージングするチャネルは、送信アンテナと受信アンテナとの間にあるチャネルインパルス応答が、ｈk(l)がｌ番目の応答である
2010524270.tif 000078
として表現される命令Ｌからなることを特徴とする請求項１に記載の方法。
【請求項５】
前記周波数選択性フェージングするチャネルを介して、それぞれの通信ブロックを通信することは、
2010524270.tif 000079
である場合の、形状
2010524270.tif 000080
の４Ｎ要素ベクトルの４Ｎポイントの離散フーリエ変換(ＤＦＴ)が、
2010524270.tif 000081
である場合の
2010524270.tif 000082
であって、ベクトル
2010524270.tif 000083
が、
2010524270.tif 000084
のＮポイントＤＦＴであるＮポイントＤＦＴを用いて、ｋ番目の送信アンテナによって、通信ブロックを通信することを特徴とする請求項１に記載の方法。
【請求項６】
受信アンテナにおいて、周期的接頭語を除去し、４Ｎポイントの離散フーリエ変換(ＤＦＴ)を行うことをさらに含むことを特徴とする請求項１に記載のシステム。
【請求項７】
周波数選択性で高速フェージングチャネル上でシングルキャリア空間周波数（ＳＦ−ＳＣＦＤＥ）通信のシステムであって、
通信ブロックストリームを受信して符号化し、通信ブロックを形成する空間周波数符号化器と、
前記通信ブロックを圧縮し、圧縮したベクトルを形成する圧縮器と、
前記圧縮したベクトルを繰り返してベクトルブロックを形成する電気回路と、
位相変換行列を用いて、前記ベクトルブロックに対して位相変換を実行し、位相変換ベクトルブロックを形成する位相変換器と、
周期的接頭語をそれぞれの位相変換ベクトルブロックに付加し、通信ブロックを形成する周期的接頭語付加器と、
それぞれの通信ブロックを通信する送信アンテナと、
を備える送信機を含むことを特徴とするシステム。
【請求項８】
前記位相変換行列は、
2010524270.tif 000085
によって定義されるΦ4Nであることを特徴とする請求項７に記載の装置。
【請求項９】
データシンボルを前記通信ブロックストリームに逆多重化する逆多重化器をさらに備えることを特徴とする請求項７に記載の装置。
【請求項１０】
前記アンテナは、高速フェージングチャネルを用いて、それぞれの通信ブロックを通信することを特徴とする請求項７に記載の装置。
【請求項１１】
前記送信機からの前記通信ブロックを受信するアンテナと、周期的接頭語を除去する構造と、復号器と、を持つ受信機、
をさらに備えることを特徴とする請求項７に記載のシステム。
【請求項１２】
前記送信アンテナは、周波数選択性フェージングチャネルを介して前記通信ブロックを通信することを特徴とする請求項１１に記載のシステム。
【請求項１３】
前記受信機は、前記周期的接頭語を除去した後に、前記通信ブロックの４Ｎポイントの離散フーリエ変換（ＤＦＴ）を行うことを特徴とする請求項１１に記載のシステム。
【請求項１４】
前記周波数選択性フェージングするチャネルは、前記送信アンテナの送信機と受信機との間にあるチャネルインパルス応答が、ｈk(l)がｌ番目の応答である      
2010524270.tif 000086
として表現される命令Ｌからなることを特徴とする請求項１２に記載のシステム。
【請求項１５】
周波数選択性フェージングするチャネルを介する通信は、
2010524270.tif 000087
である場合の、形状
2010524270.tif 000088
の４Ｎ要素ベクトルの４Ｎポイントの離散フーリエ変換(ＤＦＴ)が、
2010524270.tif 000089
である場合の
2010524270.tif 000090
であって、ベクトル
2010524270.tif 000091
が、
2010524270.tif 000092
のＮポイントＤＦＴであるＮポイントＤＦＴを用いて、ｋ番目の送信アンテナ利用することを特徴とする請求項１２に記載のシステム。
【国際調査報告】
2010524270.tif 000093
2010524270.tif 000094
2010524270.tif 000095